(57)【特許請求の範囲】
【請求項１】
複数本のサブケーブルを内包したサブグループ化光ファイバケーブルの通過口と、光コネクタプラグを有する分岐用光ファイバコードの導入口とを有し、かつ、前記サブケーブルに内包された複数本の光ファイバコードの切断部を収容する光コネクタ箱であって、前記サブケーブルに内包された光ファイバコードの切断端部の一方もしくは他方に現場付け接続された光コネクタプラグと前記分岐用光ファイバコードが有する光コネクタプラグとを接続する光コネクタアダプタ、または前記サブケーブルに内包された光ファイバコードの切断端部の双方に現場付け接続された光コネクタアダプタ同士を接続する光コネクタアダプタが内蔵されていることを特徴とする切替型光コネクタ箱。
【請求項２】
前記光コネクタアダプタに接続コードを介して直列に接続される他の光コネクタアダプタがさらに内蔵されていることを特徴とする請求項１に記載の切替型光コネクタ箱。
【請求項３】
前記光コネクタアダプタを着脱自在に固定する光コネクタホルダがさらに内蔵されていることを特徴とする請求項１または請求項２に記載の切替型光コネクタ箱。
【請求項４】
前記光コネクタホルダが面ファスナを介して切替型光コネクタ箱の内面に固定されていることを特徴とする請求項３に記載の切替型光コネクタ箱。
【請求項５】
前記サブグループ化光ファイバケーブルから露出する各サブケーブルおよび前記サブケーブルから露出する各光ファイバコードが面ファスナを介して切替型光コネクタ箱の内面に固定されていることを特徴とする請求項１から請求項４のいずれか１項に記載の切替型光コネクタ箱。
【請求項６】
前記切替型光コネクタ箱は、建物の複数階の間にわったて設けられたケーブルスペースに収容されていることを特徴とする請求項１から請求項５のいずれか１項に記載の切替型光コネクタ箱。
【請求項７】
前記切替型光コネクタ箱は、建物のある階のフロアのフリーアクセス内または天井ラック上に放射状に敷設されたサブグループ化光ファイバケーブルの任意の箇所に設けられることを特徴とする請求項１から請求項６のいずれか１項に記載の切替型光コネクタ箱。
【発明の詳細な説明】
【０００１】
【発明の属する技術分野】
本発明は、屋内の光通信配線網に使用される光コネクタ箱に関し、詳しくは、サブグループ化光ファイバケーブル内のサブケーブルに内包された複数本の光ファイバコードを分岐接続またはスルー接続に容易に切り替えることができる切替型光コネクタ箱に関するものである。ここで、スルー接続とは、光コネクタ箱内に導入された光ファイバコードが分岐することなくそのまま光コネクタ箱の外へ導出される接続形態を意味する。
【０００２】
【従来の技術】
一般に、ビルなどの屋内に光通信配線網を構築するには、図１０に示すように、地階などに設置された光ファイバケーブル配線盤Ａから引き出された例えば４本の光ファイバケーブルＢが使用されている。この光ファイバケーブルＢは、例えば１２本の光ファイバコードを内包したものであり、各光ファイバケーブルＢは、ビルを上下に貫通する情報通信配線スペースＣ内に挿通され、それぞれ各階のフロアに向けて敷設される。
【０００３】
前記４本の光ファイバケーブルＢの端部は、前記情報通信配線スペースＣから光通信配線網の構築を必要とする各階のフロアに引き出される。そして、光ファイバケーブルＢの端部から露出された各光ファイバコード（図示省略）の端部は、融着接続部収納箱Ｄの中でそれぞれ片端光コネクタ付接続コードＥに融着接続され、各接続コードＥの先端の光コネクタプラグ（図示省略）は、コネクタ接続箱Ｆを介して各階のフロア側の光ファイバコードＧにコネクタ接続される。
【０００４】
ところで、前述した光ファイバケーブルＢを使用する従来の屋内の光通信配線網においては、光ファイバケーブル配線盤Ａから光通信配線網の構築を必要とする各階のフロアに向けて光ファイバケーブルＢを１本づつ情報通信配線スペースＣ内に敷設する必要がある。また、異なる階のフロア間に光通信配線網を構築するためには、異なる階の間の情報通信配線スペースＣ内に別途の光ファイバケーブルＢを敷設して掛け渡す必要がある。いずれにしても、ビル内の光通信配線網の構築には、煩雑な施工が必要となる。
【０００５】
また、前述の光ファイバケーブルＢを使用する従来の屋内の光通信配線網においては、光通信配線網の構築を必要とする各階のフロア毎に融着接続部収納箱Ｄおよびコネクタ接続箱Ｆを設置する必要があり、その設置スペースの無駄が指摘されている。
【０００６】
そこで、本件出願人は、ビルなどの屋内に光通信配線網を構築する際の施工が容易であり、しかも、光通信配線網の構築を必要とする各階のフロアに無駄なスペースを必要としない「光ファイバケーブル敷設構造」を特願平１１−０６１０３６号として出願している。この光ファイバケーブル敷設構造においては、従来の４本の光ファイバケーブルＢに代え、複数本の光ファイバコードを内包したサブケーブルが複数本内包されたサブグループ化光ファイバケーブルを使用している。そして、このサブグループ化光ファイバケーブル内の各光ファイバコードを、光通信配線網の構築を必要とする各階のフロア側の光ファイバコードに分岐型光コネクタ箱を介して分岐接続している。また、前記分岐型光コネクタ箱は、ＡＣ１００Ｖ，ＡＣ２００Ｖ等の電源をビル内の各階に供給するための電源供給ラインを収納するエレクトリック・パワー・シャフト（以後、ＥＰＳと略称する）内等に設置している。
【０００７】
【発明が解決しようとする課題】
ところで、前記の光ファイバケーブル敷設構造における分岐型光コネクタ箱は、サブグループ化光ファイバケーブル内の各光ファイバコードを地階の光ファイバケーブル配線盤から各階のフロア側の光ファイバコードに分岐接続するためのものであり、分岐接続のために切断されたサブグループ化光ファイバケーブル内の各光ファイバコードの上方部分はそのまま放置されており、有効に活用されていない。また、ビルの模様替えなどで光ファイバを延伸する場合には、ビルの地階等にある光ファイバケーブル配線盤を一旦経由した配線を行う必要がある。
【０００８】
このため、ビル内の模様替えなどにより、切断された各光ファイバコードの上方部分に対応する上階のフロアに新たな光通信配線網を追加して構築する際には、サブグループ化光ファイバケーブル中の余ったサブケーブル内の各光ファイバコードを利用し、切断箇所と光ファイバケーブル配線盤との間をパッチ接続する必要がある。サブグループ化光ファイバケーブルにこのような余剰のサブケーブルが無い場合には、切断箇所と光ファイバケーブル配線盤との間をパッチ接続する新たな光ファイバケーブルを敷設する必要があり、その施工には、多大な時間と費用が掛かるという問題がある。
【０００９】
本発明は、前記の分岐型光コネクタ箱における問題点を解消するためになされたものであり、サブグループ化光ファイバケーブル内のサブケーブルに内包された複数本の光ファイバコードを分岐接続またはスルー接続に容易に切り替えることができる切替型光コネクタ箱を提供することを課題とする。
【００１０】
【課題を解決するための手段】
前記の課題を解決するため、本発明に係る切替型光コネクタ箱は、複数本のサブケーブルを内包したサブグループ化光ファイバケーブルの通過口と、光コネクタプラグを有する分岐用光ファイバコードの導入口とを有し、かつ、前記サブケーブルに内包された複数本の光ファイバコードの切断部を収容する光コネクタ箱であって、前記サブケーブルに内包された光ファイバコードの切断端部の一方もしくは他方に現場付け接続された光コネクタプラグと前記分岐用光ファイバコードが有する光コネクタプラグとを接続する光コネクタアダプタ、または前記サブケーブルに内包された光ファイバコードの切断端部の双方に現場付け接続された光コネクタプラグ同士を接続する光コネクタアダプタが内蔵されていることを特徴とする。
【００１１】
本発明の切替型光コネクタ箱では、サブケーブルに内包された光ファイバコードの切断端部の一方に現場付け接続された光コネクタプラグと、導入口から引込まれた分岐用光ファイバコードの光コネクタプラグとをそれぞれ光コネクタアダプタに差し込むことにより、サブケーブルに内包された光ファイバコードが分岐用光ファイバコードに分岐接続される。
【００１２】
また、光ファイバコードの切断端部の一方に現場付け接続された光コネクタプラグと、光ファイバコードの切断端部の他方に現場付け接続された光コネクタプラグとをそれぞれ光コネクタアダプタに差し込むことにより、切断された光ファイバコードが相互にスルー接続される。
【００１３】
本発明の切替型光コネクタ箱においては、前記光コネクタアダプタに接続コードを介して直列に接続される他の光コネクタアダプタが内蔵されていてもよい。この場合、光ファイバコードの切断端部の一方に現場付け接続された光コネクタプラグを一方の光コネクタアダプタに差し込み、導入口から引込まれた分岐用光ファイバコードの光コネクタプラグを他方の光コネクタアダプタに差し込み、各光コネクタアダプタ間を接続コードで接続することにより、サブケーブルに内包された光ファイバコードが接続コードを介して分岐用光ファイバコードに分岐接続される。
【００１４】
また、光ファイバコードの切断端部の一方に現場付け接続された光コネクタプラグを一方の光コネクタアダプタに差し込み、光ファイバコードの切断端部の他方に現場付け接続された光コネクタプラグを他方の光コネクタアダプタに差し込み、各光コネクタアダプタ間を接続コードで接続することにより、各光ファイバコードが接続コードを介して相互にスルー接続される。
【００１５】
さらに、一方の導入口から引込まれた分岐用光ファイバコードの光コネクタプラグを一方の光コネクタアダプタに差込み、他方の導入口から引込まれた分岐用光ファイバコードの光コネクタプラグを他方の光コネクタアダプタに差込み、各光コネクタアダプタ間を接続コードで接続することにより、一方の分岐用光ファイバコードと他方の分岐用光ファイバコードとが接続コードを介して相互にスルー接続される。
【００１６】
本発明の切替型光コネクタ箱において、前記光コネクタアダプタを着脱自在に固定する光コネクタホルダが内蔵されていると、各光コネクタアダプタを整列して配置できるので好ましい。また、この光コネクタホルダが面ファスナを介して切替型光コネクタ箱の内面に固定されていると、その固定位置を容易に変更できるので好ましい。さらに、前記サブグループ化光ファイバケーブルから露出する各サブケーブルおよび前記サブケーブルから露出する各光ファイバコードが面ファスナを介して切替型光コネクタ箱の内面に固定されていると、各サブケーブルおよび各光ファイバコードの固定位置を容易に変更できるので好ましい。
【００１７】
【発明の実施の形態】
以下、図面を参照して本発明に係る切替型光コネクタ箱の実施の形態を説明する。参照する図面において、図１は第１実施形態の切替型光コネクタ箱が使用される光ファイバケーブル敷設構造の概念図、図２は第１実施形態の切替型光コネクタ箱を通過するサブグループ化光ファイバケーブルの構造を示す断面図、図３は第１実施形態の切替型光コネクタ箱の内部構造および光ファイバコードの分岐接続の状況を示す斜視図、図４は第１実施形態の切替型光コネクタ箱に内蔵される光コネクタの斜視図、図５は第１実施形態の切替型光コネクタ箱に内蔵される光コネクタプラグの現場付け接続処理を示す側面図である。
【００１８】
図１に示すように、第１実施形態の切替型光コネクタ箱１は、例えばビルの地階に配置された配線盤２からＥＰＳ（エレクトリック・パワー・シャフト）３を通してビルの所定階まで敷設されるサブグループ化光ファイバケーブル４の所定箇所、すなわち、各階（１Ｆ，２Ｆ，３Ｆ…ｎＦ）のフロアからＥＰＳ３の開口を通して作業可能な箇所にそれぞれ配設される。
【００１９】
前記サブグループ化光ファイバケーブル４は、外径が例えば１６．５ｍｍであり、図２に示すように、中心部に合成樹脂製の抗張力ワイヤ４Ａが配置され、その周囲に配置された例えば４本のサブケーブル５がパラ系アラミド繊維を含む抗張力充填材４Ｂなどで埋められ、この抗張力充填材４Ｂの外周が合成樹脂製の３次外皮４Ｃで被覆された断面構造を有する。また、前記サブケーブル５は、例えば１２本の光ファイバコード６がパラ系アラミド繊維などの抗張力繊維５Ａに覆われ、その外周が合成樹脂製の２次外皮５Ｂで被覆された断面構造を有する。そして、各光ファイバコード６は、中心部に配置された１本の光ファイバ素線６Ａが合成樹脂製の被覆材６Ｂおよびその外周の１次外皮６Ｃで被覆された断面構造を有する。
【００２０】
第１実施形態の切替型光コネクタ箱１は、厚さが３０ｍｍ程度であって、幅が７０ｍｍ前後、長さが７００〜１３００ｍｍ程度に設定されている。この切替型光コネクタ箱１は、図３に示すように、前記サブグループ化光ファイバケーブル４の抗張力充填材４Ｂおよび３次外皮４Ｃが剥ぎ取られた部分、すなわち、サブケーブル５および光ファイバコード６が露出する部分を収容する合成樹脂製の上部カバー１Ａと下部カバー１Ｂとで構成されている。上部カバー１Ａは長手方向に沿う両側の側壁が切り欠かれた形状を呈し、下部カバー１Ｂは長手方向の両端部の側壁が切り欠かれた形状を呈している。そして、上部カバー１Ａと下部カバー１Ｂとは図示しない適宜の係止手段によって開閉自在に構成されている。
【００２１】
前記切替型光コネクタ箱１には、前記サブグループ化光ファイバケーブル４を長手方向に沿って通過させる通過口およびビルの各階のフロアに敷設された分岐用光ファイバコード７の導入口を兼用する開口１Ｃ，１Ｃが上部カバー１Ａの長手方向両端部の側壁１Ｄ，１Ｄに形成されている。この開口１Ｃ，１Ｃは、図示の例では前記側壁１Ｄ，１Ｄの略全面に渡る四角の切欠きとして形成されているが、形状、大きさ、配置などは、サブグループ化光ファイバケーブル４を通過させ、分岐用光ファイバコード７を導入する機能を損なわない限り、適宜変更することができる。
【００２２】
前記開口１Ｃ，１Ｃ付近に臨む下部カバー１Ｂの両端部の内底面には、合成樹脂製の結束バンド８，８が両端部を自由にした状態で固定されている。そして、この結束バンド８，８により、サブグループ化光ファイバケーブル４の３次外皮４Ｃが剥ぎ取られていない部分の端部が下部カバー１Ｂの内底面に着脱自在に固定されている。
【００２３】
また、サブグループ化光ファイバケーブル４の３次外皮４Ｃが剥ぎ取られた部分に露出するサブケーブル５と、１本のサブケーブル５の２次外皮５Ｂが剥ぎ取られた部分に露出する各光ファイバコード６とを下部カバー１Ｂの内底面に着脱自在に固定するため、下部カバー１Ｂの内底面には、雌型面ファスナ９Ａと、これに着脱自在に係止される帯状の雄型面ファスナ９Ｂとが付設されている。
【００２４】
前記雌型面ファスナ９Ａは、下部カバー１Ｂの内底面の略全域に接着されている。一方、雄型面ファスナ９Ｂは、下部カバー１Ｂの幅寸法に対応した長さの帯状を呈し、その一端部が下部カバー１Ｂの片側の側壁１Ｅ近傍の内底面に接着されている。なお、図示の例では、３本の帯状の雄型面ファスナ９Ｂが下部カバー１Ｂの長手方向に所定間隔を開けて配置されているが、その本数は適宜増減することができる。また、下部カバー１Ｂに接着されていない短い帯状の雄型面ファスナ９Ｃを補助的に使用してもよい。
【００２５】
前記サブグループ化光ファイバケーブル４の３次外皮４Ｃが剥ぎ取られた部分に露出する４本のサブケーブル５のうち１本は、切替型光コネクタ箱１の長手方向の中央部で切断され、その切断端部は、後述の光コネクタプラグ１０を接続するために適当な長さ切り落とされている。そして、切断されたサブケーブル５の２次外皮５Ｂが剥ぎ取られた部分に露出する１２本の光ファイバコード６（図３では４本のみを図示し、他の８本は図示を省略している。）の切断端部には、図４に示すように、それぞれ光コネクタプラグ１０が現場付け接続されている。
【００２６】
光コネクタプラグ１０の現場付け接続は、図５に示すように、光コネクタプラグ１０内のフェルール１０Ａに光ファイバコード６の切断端部を挿通し、その切断端部の１次外皮６Ｃを剥いて露出させた光ファイバ素線６Ａの端部を、予めフェルール１０Ａに仕込まれた光ファイバ素線１０Ｂの基端部に現場で融着処理することにより行われる。この光ファイバ素線１０Ｂの先端面１０Ｃは、コネクタ接続可能なように予め研磨されている。なお、前記光コネクタプラグ１０およびその融着処理に使用する融着機は、シーメンス株式会社から製品名フューズライト・コネクタおよびフューズライト融着機として市販されている（「ＦｕｓｅＬｉｔｅ」はシーメンス株式会社の登録商標である）。
【００２７】
図４に示すように、光ファイバコード６の一方の切断端部に接続された光コネクタプラグ１０と、分岐用光ファイバコード７の端部に予め装着された光コネクタプラグ７Ａまたは光ファイバコード６の他方の切断端部に接続された光コネクタプラグ１０とを接続するため、切替型光コネクタ箱１内には、複数の光コネクタアダプタ１１が内蔵されている。また、これらの光コネクタアダプタ１１を２個づつ着脱自在に装着する複数の光コネクタホルダ１２が切替型光コネクタ箱１に内蔵されている。この光コネクタホルダ１２は、上面が開口した断面コの字状に形成され、その下面には、下部カバー１Ｂ側の雌型面ファスナ９Ａに着脱自在に係止される雄型面ファスナ９Ｄが接着されている。
【００２８】
次に、以上のように構成された第１実施形態の切替型光コネクタ箱１の使用例を説明する。この切替型光コネクタ箱１を使用してサブグループ化光ファイバケーブル４内の切断されたサブケーブル５から露出する各光ファイバコード６をビルの各階のフロアに敷設された分岐用光ファイバコード７に分岐接続するには、まず、図３に示すように、各光ファイバコード６の切断端部の一方、すなわち、ビルの地階に配置された配線盤２側に光接続されている一方の切断端部に予め現場付け接続された各光コネクタプラグ１０を光コネクタアダプタ１１の一方の側に差し込む。また、前記分岐用光ファイバコード７の光コネクタプラグ７Ａを有する端部を切替型光コネクタ箱１の下部カバー１Ｂ上に引き込み、その光コネクタプラグ７Ａを光コネクタアダプタ１１の他方の側に差し込む。この接続作業により、配線盤２側に光接続されている各光ファイバコード６は、光コネクタプラグ１０，光コネクタアダプタ１１，光コネクタプラグ７Ａからなる光コネクタを介して各階のフロアに敷設された各分岐用光ファイバコード７に分岐接続される。
【００２９】
次に、各光コネクタアダプタ１１を装着した各光コネクタホルダ１２を切替型光コネクタ箱１の下部カバー１Ｂの内底面に固定する。すなわち、各光コネクタホルダ１２の下面に接着された雄型面ファスナ９Ｄを下部カバー１Ｂの内底面に接着された雌型面ファスナ９Ａに押し付けて固定する。この場合、各光コネクタホルダ１２は、下部カバー１Ｂの内底面に対して着脱自在であるから、光ファイバコード６および分岐用光ファイバコード７の引き回しに無理の無い個所を選択して固定することができる。
【００３０】
続いて、３本の帯状の雄型面ファスナ９Ｂを使用して各光ファイバコード６および各分岐用光ファイバコード７を下部カバー１Ｂの雌型面ファスナ９Ａとの間に挟持する。その際、短い帯状の雄型面ファスナ９Ｃを補助的に使用して、光コネクタプラグ１０近傍の各光ファイバコード６および光コネクタプラグ７Ａ近傍の各分岐用光ファイバコード７を下部カバー１Ｂの雌型面ファスナ９Ａとの間に挟持するのが好ましい。
【００３１】
その後、下部カバー１Ｂに上部カバー１Ａを被せて切替型光コネクタ箱１を閉じた状態とすることにより、光ファイバコード６と分岐用光ファイバコード７との分岐接続の作業が完了する。
【００３２】
図６は、第１実施形態の切替型光コネクタ箱１を使用して、前記サブケーブル５から露出する各光ファイバコード６を、ビルの各階のフロアに敷設された２系統の分岐用光ファイバコード７に分岐接続する使用例を示している。この使用例では、複数の光コネクタアダプタ１１を２つのグループに分け、一方のグループの各光コネクタアダプタ１１は、図３と同様に、配線盤２につながる切断された一方の各光ファイバコード６側の各光コネクタプラグ１０と、上方の階のフロアに敷設された第１系統の各分岐用光ファイバコード７側の各光コネクタプラグ７Ａとを光接続している。また、他方のグループの各光コネクタアダプタ１１は、下方階のフロアに敷設された第２系統の各分岐用光ファイバコード７側の各光コネクタプラグ７Ａと、切断された他方の各光ファイバコード６側の各光コネクタプラグ１０とを光接続している。
【００３３】
図６に示す第１実施形態の切替型光コネクタ箱１の使用例では、各階のフロアに敷設された２系統の各分岐用光ファイバコード７のうち、第１系統の各分岐用光ファイバコード７は、切断された一方の各光ファイバコード６を介して配線盤２側へ光接続され、第２系統の各分岐用光ファイバコード７は、切断された他方の各光ファイバコード６を介して上方の階のフロア側へ光接続される。従って、上方の階に対応して設置された他の切替型光コネクタ箱１により、他方の各光ファイバコード６を上方の階のフロアに敷設された各分岐用光ファイバコード７に分岐接続すれば、異なる階のフロア間に光通信配線網を簡単に構成することができる。
【００３４】
図７は、第１実施形態の切替型光コネクタ箱１を使用して前記サブケーブル５から露出する各光ファイバコード６の切断端部を相互にスルー接続する使用例を示している。この使用例では、切断された一方の各光ファイバコード６側の各光コネクタプラグ１０と、他方の各光ファイバコード６側の各光コネクタプラグ１０とを各光コネクタアダプタ１１を介して相互に光接続している。
【００３５】
図７に示す第１実施形態の切替型光コネクタ箱１の使用例では、切断された一方の各光ファイバコード６と他方の各光ファイバコード６とが相互にスルー接続されるため、上方階または下方階のフロアへの光通信配線網の構築および再構築を極めて簡単に行うことができる。
【００３６】
図８は、本発明の第２実施形態に係る切替型光コネクタ箱２０の内部構造を示している。この第２実施形態の切替型光コネクタ箱２０は、第１実施形態の切替型光コネクタ箱１と略同様に構成されているため、同様の構成部分については同一符号を付して詳細な説明を省略する。
【００３７】
第２実施形態の切替型光コネクタ箱２０には、前記複数の光コネクタアダプタ１１に複数のパッチコード（接続コード）２１を介して接続される他の複数の光コネクタアダプタ２２が内蔵されている。前記パッチコード２１は、前記光コネクタプラグ７Ａ，１０と同様の光コネクタプラグが予め両端部に装着された比較的短い光接続用のコードである。また、各光コネクタアダプタ２２は前記光コネクタアダプタ１１と同様に構成されており、前記光コネクタホルダ１２に着脱自在に固定される。
【００３８】
第２実施形態の切替型光コネクタ箱２０によれば、図８に示すように、切断された一方の各光ファイバコード６側の各光コネクタプラグ１０を一方の光コネクタアダプタ１１に差し込み、開口１Ｃから引込まれた各分岐用光ファイバコード７側の各光コネクタプラグ７Ａを他方の光コネクタアダプタ２２に差し込み、さらに、パッチコード２１の両端の各光コネクタプラグを各光コネクタアダプタ１１，１２に差し込むことにより、配線盤２側に光接続されている各光ファイバコード６を各階のフロアに敷設された各分岐用光ファイバコード７に各パッチコード２１を介して分岐接続することができる。
【００３９】
図９は、第２実施形態の切替型光コネクタ箱２０を使用して前記サブケーブル５から露出する各光ファイバコード６の切断端部を相互にスルー接続する使用例を示している。この使用例では、切断された一方の各光ファイバコード６側の各光コネクタプラグ１０を一方の光コネクタアダプタ１１に差し込み、他方の各光ファイバコード６側の各光コネクタプラグ１０を他方の光コネクタアダプタ２２に差し込み、さらに、パッチコード２１の両端の各光コネクタプラグを各光コネクタアダプタ１１，１２に差し込むことにより、切断された一方の各光ファイバコード６側の各光コネクタプラグ１０と、他方の各光ファイバコード６側の各光コネクタプラグ１０とを各パッチコード２１を介して相互に光接続している。
【００４０】
図９に示す第２実施形態の切替型光コネクタ箱２０の使用例では、切断された一方の各光ファイバコード６と他方の各光ファイバコード６とが相互にスルー接続されるため、上方階または下方階のフロアへの光通信配線網の構築および再構築を極めて簡単に行うことができる。
【００４１】
なお、図示省略したが、第２実施形態の切替型光コネクタ箱２０によれば、一方の開口１Ｃから引込まれた各分岐用光ファイバコード７の各光コネクタプラグ７Ａを一方の光コネクタアダプタ１１に差込み、他方の開口１Ｃから引込まれた各分岐用光ファイバコード７の各光コネクタプラグ７Ａを他方の光コネクタアダプタ２２に差込み、さらに、パッチコード２１の両端の各光コネクタプラグを各光コネクタアダプタ１１，１２に差し込むことにより、一方の各分岐用光ファイバコード７と他方の各分岐用光ファイバコード７とを各パッチコード２１を介して相互にスルー接続することができる。
【００４２】
また、上述した第１および第２の各実施形態では、本発明による切替型光コネクタ箱１および２０を、建物の複数階の間にわったて設けられたＥＰＳ３といったケーブルスペースに収容した場合について説明した。しかし、本発明による切替型光コネクタ箱１および２０は、このようなケーブルスペースに収容されるとは限らず、例えば、建物のある階のフロアのフリーアクセス内または天井ラック上に放射状に予め敷設されたサブグループ化光ファイバケーブルの任意の箇所に設けられることもある。
【００４３】
切替型光コネクタ箱１および２０をこのようにフロアのフリーアクセス内または天井ラック上で使用する構成にすると、フロアの模様替えなどにおいて、放射状に敷設されたサブグループ化光ファイバケーブルから取る光入出力の取り出し口は、切替型光コネクタ箱１および２０のサブグループ化光ファイバケーブルへの設置工事をケーブルの敷設当初または敷設後に行うだけで、上述したスルー接続か分岐接続かの切り替えによって任意の場所に変えられる。
【００４４】
【発明の効果】
以上説明したように、本発明に係る切替型光コネクタ箱では、サブケーブルに内包された光ファイバコードの切断端部の一方に現場付け接続された光コネクタプラグと、導入口から引込まれた分岐用光ファイバコードの光コネクタプラグとをそれぞれ光コネクタアダプタに差し込むことにより、サブケーブルに内包された光ファイバコードが分岐用光ファイバコードに分岐接続される。また、光ファイバコードの切断端部の一方に現場付け接続された光コネクタプラグと、光ファイバコードの切断端部の他方に現場付け接続された光コネクタプラグとをそれぞれ光コネクタアダプタに差し込むことにより、切断された光ファイバコードが相互にスルー接続される。
【００４５】
また、本発明の切替型光コネクタ箱において、前記光コネクタアダプタに接続コードを介して直列に接続される他の光コネクタアダプタが内蔵されている場合、光ファイバコードの切断端部の一方に現場付け接続された光コネクタプラグを一方の光コネクタアダプタに差し込み、導入口から引込まれた分岐用光ファイバコードの光コネクタプラグを他方の光コネクタアダプタに差し込み、各光コネクタアダプタ間を接続コードで接続することにより、サブケーブルに内包された光ファイバコードが接続コードを介して分岐用光ファイバコードに分岐接続される。また、光ファイバコードの切断端部の一方に現場付け接続された光コネクタプラグを一方の光コネクタアダプタに差し込み、光ファイバコードの切断端部の他方に現場付け接続された光コネクタプラグを他方の光コネクタアダプタに差し込み、各光コネクタアダプタ間を接続コードで接続することにより、各光ファイバコードが接続コードを介して相互にスルー接続される。さらに、一方の導入口から引込まれた分岐用光ファイバコードの光コネクタプラグを一方の光コネクタアダプタに差込み、他方の導入口から引込まれた分岐用光ファイバコードの光コネクタプラグを他方の光コネクタアダプタに差込み、各光コネクタアダプタ間を接続コードで接続することにより、一方の分岐用光ファイバコードと他方の分岐用光ファイバコードとが接続コードを介して相互にスルー接続される。
【００４６】
本発明の切替型光コネクタ箱において、前記光コネクタアダプタを着脱自在に固定する光コネクタホルダが内蔵されていると、各光コネクタアダプタを整列して配置できるので好ましい。また、この光コネクタホルダが面ファスナを介して切替型光コネクタ箱の内面に固定されていると、その固定位置を容易に変更できるので好ましい。さらに、前記サブグループ化光ファイバケーブルから露出する各サブケーブルおよび前記サブケーブルから露出する各光ファイバコードが面ファスナを介して切替型光コネクタ箱の内面に固定されていると、各サブケーブルおよび各光ファイバコードの固定位置を容易に変更できるので好ましい。
【００４７】
従って、本発明の切替型光コネクタ箱によれば、サブグループ化光ファイバケーブル内のサブケーブルに内包された複数本の光ファイバコードを分岐接続またはスルー接続に容易に切り替えることができる。その結果、本発明の切替型光コネクタ箱をビルの各階のフロアに対応してＥＰＳといったケーブルスペース内の複数箇所に設置すれば、各階のフロアへの光通信配線網の構築および再構築、並びに、各階のフロア間の光通信配線網の構築および再構築を極めて簡単に行うことができる。また、従来では各階のフロアに必要であった設置スペースの無駄を解消することができる。
【００４８】
また、本発明の切替型光コネクタ箱を同一階のフロアのフリーアクセス内や天井ラック上の複数箇所に設置すれば、分岐用光ファイバコードが接続される各機器の配置がフロアの模様替え等によって変更された場合にも、これに容易に対応して各機器に接続される分岐用光ファイバコードを確実にサブグループ化光ファイバケーブル内の光ファイバコードに接続することができる。
【００４９】
さらに、サブグループ化光ファイバケーブルをフロアの各所を通るように放射状に敷設すれば、本発明の切替型光コネクタ箱を適所に設置するだけで、フロアの所望の箇所に分岐用光ファイバコードを延出させることができる。
【図面の簡単な説明】
【図１】本発明の第１実施形態および第２実施形態の切替型光コネクタ箱が使用される光ファイバケーブル敷設構造の概念図である。
【図２】第１実施形態および第２実施形態の切替型光コネクタ箱を通過するサブグループ化光ファイバケーブルの構造を示す断面図である。
【図３】第１実施形態の切替型光コネクタ箱の内部構造および光ファイバコードの分岐接続の状況を示す斜視図である。
【図４】第１実施形態の切替型光コネクタ箱に内蔵される光コネクタの斜視図である。
【図５】第１実施形態および第２実施形態の切替型光コネクタ箱に内蔵される光コネクタプラグの現場付け接続処理を示す側面図である。
【図６】第１実施形態の切替型光コネクタ箱の内部構造および光ファイバコードの他の分岐接続の状況を示す斜視図である。
【図７】第１実施形態の切替型光コネクタ箱の内部構造および光ファイバコードのスルー接続の状況を示す斜視図である。
【図８】第２実施形態の切替型光コネクタ箱の内部構造および光ファイバコードの分岐接続の状況を示す斜視図である。
【図９】第２実施形態の切替型光コネクタ箱の内部構造および光ファイバコードのスルー接続の状況を示す斜視図である。
【図１０】従来の光ファイバケーブル敷設構造の概念図である。
【符号の説明】
１，２０…切替型光コネクタ箱
１Ａ…上部カバー
１Ｂ…下部カバー
１Ｃ…開口
４…サブグループ化光ファイバケーブル
５…サブケーブル
６…光ファイバコード
６Ａ…光ファイバ素子
７…分岐用光ファイバコード
７Ａ，１０…光コネクタプラグ
９Ａ…雌型面ファスナ
９Ｂ，９Ｃ，９Ｄ…雄型面ファスナ
１１，２２…光コネクタアダプタ
１２…光コネクタホルダ
２１…パッチコード
【図１】
0003719895.tif 000002
【図２】
0003719895.tif 000003
【図３】
0003719895.tif 000004
【図４】
0003719895.tif 000005
【図５】
0003719895.tif 000006
【図６】
0003719895.tif 000007
【図７】
0003719895.tif 000008
【図８】
0003719895.tif 000009
【図９】
0003719895.tif 000010
【図１０】
0003719895.tif 000011